(57)【要約】【課題】生体情報取得装置の電源のオンオフの切り替えを確実に行うことが可能な生体情報取得システム等を提供する。【解決手段】本発明の生体情報取得システムは、生体情報取得部を具備して構成された生体情報取得装置と、磁界発生部と、を有し、生体情報取得装置は、生体情報取得部を駆動させるための電力を供給可能な電源部と、磁界発生部から発せられた磁界の検知結果に応じた磁界検知信号を生成して出力する磁界検知部と、磁界検知信号の出力状態に基づき、電源部に接続されている第１のスイッチ部のオンオフ状態を切り替えるまたは維持するように制御を行う第１の切替制御部と、磁界検知信号の出力状態に基づき、第１のスイッチ部と生体情報取得部との間に接続されている第２のスイッチ部のオンオフ状態を切り替えるまたは維持するように制御を行う第２の切替制御部と、を有する。【選択図】図２
2014073140.tif 000002
【特許請求の範囲】
【請求項１】
被検体の内部の生体情報を取得可能な生体情報取得部を具備して構成された生体情報取得装置と、バースト状の交流磁界を発生可能に構成された磁界発生部と、を有する生体情報取得システムであって、
前記生体情報取得装置は、
前記生体情報取得部を駆動させるための電力を供給可能な電源部と、
前記磁界発生部から発せられたバースト状の交流磁界の検知結果に応じた磁界検知信号を生成して出力する磁界検知部と、
前記磁界検知信号の出力状態に基づき、前記電源部に接続されている第１のスイッチ部のオンオフ状態を切り替えるまたは維持するように制御を行う第１の切替制御部と、
前記第１のスイッチがオンされることにより前記電源部からの電力が供給されている場合において、前記磁界検知信号の出力状態に基づき、前記第１のスイッチ部と前記生体情報取得部との間に接続されている第２のスイッチ部のオンオフ状態を切り替えるまたは維持するように制御を行う第２の切替制御部と、
を有することを特徴とする生体情報取得システム。
【請求項２】
前記第１の切替制御部は、所定の出力間隔毎に前記磁界検知部から出力される前記磁界検知信号の出力回数が第１の閾値に達したことを検出できた際に、前記第１のスイッチ部のオンオフ状態を切り替えるように制御を行い、
前記第２の切替制御部は、前記所定の出力間隔毎に前記磁界検知部から出力される前記磁界検知信号の出力回数が前記第１の閾値未満である第２の閾値に達したことを検出できた際に、前記第２のスイッチ部のオンオフ状態を切り替えるように制御を行う
ことを特徴とする請求項１に記載の生体情報取得システム。
【請求項３】
前記第１の切替制御部は、第１の出力間隔以上の出力間隔毎に前記磁界検知部から出力される前記磁界検知信号が所定の回数出力されたことを検出できた際に、前記第１のスイッチ部のオンオフ状態を切り替えるように制御を行い、
前記第２の切替制御部は、前記第１の出力間隔より短い第２の出力間隔以上の出力間隔毎に前記磁界検知部から出力される前記磁界検知信号が前記所定の回数出力されたことを検出できた際に、前記第２のスイッチ部のオンオフ状態を切り替えるように制御を行う
ことを特徴とする請求項１に記載の生体情報取得システム。
【請求項４】
前記第１の切替制御部は、前記磁界検知信号の信号レベルが所定値未満である場合において、前記第１のスイッチのオンオフ状態を維持するように制御を行うことを特徴とする請求項１乃至３のいずれか一項に記載の生体情報取得システム。
【請求項５】
前記第１のスイッチがオンされているか否かを報知可能に構成された報知部をさらに有することを特徴とする請求項１乃至４のいずれか一項に記載の生体情報取得システム。
【請求項６】
前記報知部は、前記第１のスイッチのオンオフ状態に応じて発光または消光することにより、前記第１のスイッチがオンされているか否かを報知可能な発光素子を具備して構成されていることを特徴とする請求項５に記載の生体情報取得システム。
【請求項７】
前記報知部は、前記第１のスイッチのオンオフ状態を示す情報を表示装置に表示させるための報知信号を無線送信することが可能な無線信号送信回路を具備して構成されていることを特徴とする請求項５に記載の生体情報取得システム。
【請求項８】
前記生体情報取得部は、前記被検体の内部の被写体を照明するための照明光を発する照明部と、前記照明部により照明された前記被写体を撮像して画像データを取得する撮像部と、を有して構成されており、
前記照明部は、前記第１のスイッチのオンオフ状態に応じて発光または消光することにより、前記第１のスイッチがオンされているか否かを報知可能な機能を具備して構成されていることを特徴とする請求項１乃至４のいずれか一項に記載の生体情報取得システム。
【請求項９】
前記生体情報取得装置は、カプセル内視鏡であることを特徴とする請求項１乃至８のいずれか一項に記載の生体情報取得システム。
【請求項１０】
前記請求項１乃至請求項９のいずれか一項に記載の生体情報取得システムの駆動方法であって、
所定の周期で１回ずつ発せられるバースト状の交流磁界が第１の回数分前記磁界発生部から発せられた際に、前記第１の切替制御部の制御により、前記電源部から前記第２の切替制御部への電力の供給が開始されるステップと、
前記電源部から前記第２の切替制御部へ電力が供給されている場合において、前記所定の周期で１回ずつ発せられるバースト状の交流磁界が前記第１の回数未満である第２の回数分前記磁界発生部から発生される毎に、前記第２の切替制御部の制御により、前記電源部から前記生体情報取得部への電力の供給状態が切り替えられるステップと、
を有することを特徴とする生体情報取得システムの駆動方法。
【請求項１１】
前記請求項１乃至請求項９のいずれか一項に記載の生体情報取得システムの駆動方法であって、
第１の周期で１回ずつ発せられるバースト状の交流磁界が所定の回数分前記磁界発生部から発せられた際に、前記第１の切替制御部の制御により、前記電源部から前記第２の切替制御部への電力の供給が開始されるステップと、
前記電源部から前記第２の切替制御部へ電力が供給されている場合において、前記第１の周期より短い第２の周期で１回ずつ発せられるバースト状の交流磁界が前記所定の回数分前記磁界発生部から発生される毎に、前記第２の切替制御部の制御により、前記電源部から前記生体情報取得部への電力の供給状態が切り替えられるステップと、
を有することを特徴とする生体情報取得システムの駆動方法。
【発明の詳細な説明】
【技術分野】
【０００１】
本発明は、生体情報取得システムに関し、特に、生体内の情報を取得可能な生体情報取得システム及び生体情報取得システムの駆動方法に関するものである。
【背景技術】
【０００２】
医療分野における内視鏡は、生体内の観察等の用途において従来用いられている。そして、前述した内視鏡の種類の１つとして、被検者が嚥下することにより体腔内に配置され、蠕動運動に伴って体腔内を移動しつつ被写体の像を撮像し、撮像した被写体の像を撮像信号として外部に無線伝送可能なカプセル内視鏡が近年提案されている。
【０００３】
そして、前述したカプセル内視鏡と略同様の構成を有するものとしては、例えば、特許文献１に開示されているようなものがある。
【０００４】
具体的には、特許文献１には、磁界検知用の回路及び電源制御用の回路を内蔵したカプセル内視鏡において、カプセル内視鏡の外部から印加された磁界を磁界検出用のアンテナ（磁界検知部）により検知するとともに、当該検知した結果に応じて生成されるパルス信号が所定の期間内に所定の回数以上電源制御用の回路に入力された場合においてのみ、カプセル内視鏡の電源のオンオフを切り替える、という構成が開示されている。
【発明の概要】
【発明が解決しようとする課題】
【０００５】
一般的に、カプセル内視鏡の筐体は、被検者により嚥下可能な程度の体積に収まるように形成されている。これに伴い、カプセル内視鏡に内蔵される磁界検出用のアンテナ等の各構成要素の大きさが、筐体の体積に合わせたものに制限される。
【０００６】
そして、前述のカプセル内視鏡に特有の事情を考慮した場合、特許文献１のように構成されたカプセル内視鏡を生体内に配置して磁界を検知させるためには、例えば、カプセル内視鏡に内蔵可能な比較的小型のアンテナにより検知可能な程度まで強度を高めた磁界を生体外から（持続的に）印加する必要が生じる。その結果、特許文献１に開示された構成によれば、例えば、生体内に配置されたカプセル内視鏡に対して生体外から磁界を印加したとしても、カプセル内視鏡の電源のオンオフの切り替えに係る動作が正常に行われない場合がある、という課題が生じている。
【０００７】
本発明は、前述した事情に鑑みてなされたものであり、生体情報取得装置の電源のオンオフの切り替えを確実に行うことが可能な生体情報取得システム及び生体情報取得システムの駆動方法を提供することを目的としている。
【課題を解決するための手段】
【０００８】
本発明の生体情報取得システムは、被検体の内部の生体情報を取得可能な生体情報取得部を具備して構成された生体情報取得装置と、バースト状の交流磁界を発生可能に構成された磁界発生部と、を有する生体情報取得システムであって、前記生体情報取得装置は、前記生体情報取得部を駆動させるための電力を供給可能な電源部と、前記磁界発生部から発せられたバースト状の交流磁界の検知結果に応じた磁界検知信号を生成して出力する磁界検知部と、前記磁界検知信号の出力状態に基づき、前記電源部に接続されている第１のスイッチ部のオンオフ状態を切り替えるまたは維持するように制御を行う第１の切替制御部と、前記第１のスイッチがオンされることにより前記電源部からの電力が供給されている場合において、前記磁界検知信号の出力状態に基づき、前記第１のスイッチ部と前記生体情報取得部との間に接続されている第２のスイッチ部のオンオフ状態を切り替えるまたは維持するように制御を行う第２の切替制御部と、を有する。
【発明の効果】
【０００９】
本発明における生体情報取得システム及び生体情報取得システムの駆動方法によれば、生体情報取得装置の電源のオンオフの切り替えを確実に行うことができる。
【図面の簡単な説明】
【００１０】
【図１】本発明の実施例に係る生体情報取得システムの要部の構成を示す図。
【図２】生体情報取得装置の内部構成の一例を示す図。
【図３】生体情報取得装置が有する磁界検知部の構成の一例を示す図。
【図４】生体情報取得装置が有する一の検波部の構成の一例を示す図。
【図５】生体情報取得装置が有する他の検波部の構成の一例を示す図。
【図６】第１の実施例における生体情報取得装置の動作の一例を説明するためのタイミングチャート。
【図７】第１の実施例における生体情報取得装置の動作の、図６とは異なる例を説明するためのタイミングチャート。
【図８】第１の実施例における生体情報取得装置の動作の、図６及び図７とは異なる例を説明するためのタイミングチャート。
【図９】第１の実施例における生体情報取得装置の動作の、図６、図７及び図８とは異なる例を説明するためのタイミングチャート。
【図１０】第２の実施例における生体情報取得装置の動作の一例を説明するためのタイミングチャート。
【図１１】第２の実施例における生体情報取得装置の動作の、図１０とは異なる例を説明するためのタイミングチャート。
【図１２】図２の生体情報取得装置に対して報知部を付加した場合の構成の一例を示す図。
【図１３】図２の生体情報取得装置に対して報知部及び制御部を付加した場合の構成の一例を示す図。
【図１４】図２の生体情報取得装置に対して報知部及び制御部を付加した場合の構成の、図１３とは異なる例を示す図。
【発明を実施するための形態】
【００１１】
以下、本発明の実施の形態について、図面を参照しつつ説明を行う。
【００１２】
（第１の実施例）
図１から図９は、本発明の第１の実施例に係るものである。
【００１３】
図１は、本発明の実施例に係る生体情報取得システムの要部の構成を示す図である。
【００１４】
生体情報取得システム１０１は、図１に示すように、生体情報取得装置１と、生体情報取得装置１の外部において交流磁界を発する磁界発生部７と、を具備している。
【００１５】
生体情報取得装置１は、例えばカプセル内視鏡のような、被検者の体腔内に配置可能な寸法及び形状等を有する装置として構成されている。
【００１６】
また、生体情報取得装置１は、被検者の体腔内の被写体を照明するための照明光を発する照明部２と、照明部２により照明された被写体を撮像して画像データを取得する撮像部３と、撮像部３により取得された画像データを無線信号に変調して外部へ送信する無線送信部４と、照明部２、撮像部３及び無線送信部４の各部を駆動させるための駆動電力を供給可能な電力供給部５と、磁界発生部７において発せられた磁界を検知可能な磁界検知部６と、を内部に有している。
【００１７】
すなわち、本実施例における生体情報取得部は、照明部２及び撮像部３を具備して構成されている。
【００１８】
磁界発生部７は、図示しないスイッチ等の操作に応じ、生体情報取得装置１における電源状態を切り替えるためのバースト状の交流磁界を発生することが可能な構成を有している。具体的には、磁界発生部７は、例えば、後述する各種の磁界発生スイッチが１回オンされる毎に、複数回のバースト状の交流磁界を発生することができるように構成されている。
【００１９】
図２は、生体情報取得装置の内部構成の一例を示す図である。図３は、磁界検知部の構成の一例を示す図である。
【００２０】
電力供給部５は、図２に示すように、生体情報取得装置１の各部を駆動させるための電力を供給可能な内蔵バッテリ等からなる電源部８と、スイッチ部９ａ及び９ｂと、信号受信部１０ａ及び１０ｂと、を有して構成されている。
【００２１】
磁界検知部６は、例えば図３に示すような、コイルＬＡ及びコンデンサＣＡからなる共振回路として構成されている。また、磁界検知部６は、磁界発生部７から発せられた交流磁界の検知結果（検知時の波形）に応じた電気信号である磁界検知信号を生成して信号受信部１０ａ及び１０ｂへ出力する。
【００２２】
電源部８は、信号受信部１０ａへ常時電力を供給し、スイッチ部９ａを介して信号受信部１０ｂへ電力を供給し、スイッチ部９ｂを介して照明部２、撮像部３及び無線送信部４の各部へ電力を供給するように接続されている。
【００２３】
スイッチ部９ａは、電源部８に接続されており、第１の切替制御部としての機能を具備する信号受信部１０ａからの切替信号の出力状態に基づいてオンまたはオフされることにより、電源部８から信号受信部１０ｂへの電力の供給状態を切り替えることができるように構成されている。
【００２４】
スイッチ部９ｂは、スイッチ部９ａと照明部２、撮像部３及び無線送信部４の各部との間に接続されており、第２の切替制御部としての機能を具備する信号受信部１０ｂからの切替信号の出力状態に基づいてオンまたはオフされることにより、電源部８から照明部２、撮像部３及び無線送信部４の各部への電力の供給状態を切り替えることができるように構成されている。
【００２５】
信号受信部１０ａは、図２に示すように、閾値ＴＨ１以上の信号レベルを具備する磁界検知信号を検波してパルス信号を出力する検波部１１ａと、検波部１１ａがパルス信号を出力し始めてから一定時間ＴＡ１が経過するまで時間の計測を行うタイマ部１２ａと、検波部１１ａからのパルス信号の入力回数を１ずつカウントすることによりカウント値を得るカウンタ部１３ａと、カウンタ部１３ａからの出力信号が入力される毎にスイッチ部９ａのオンオフ状態を切り替えるための切替信号の出力を反転するラッチ部１４ａと、を有して構成されている。
【００２６】
図４は、生体情報取得装置が有する一の検波部の構成の一例を示す図である。
【００２７】
検波部１１ａは、例えば図４に示すような、ダイオードＤＢと、コンデンサＣＢと、抵抗ＲＢと、からなるピークホールド回路として構成されている。
【００２８】
すなわち、検波部１１ａは、磁界検知部６から出力される磁界検知信号の出力間隔がコンデンサＣＢの容量と抵抗ＲＢの抵抗値との積により定められる時定数τ１以上である場合において、磁界検知部６から出力される磁界検知信号を適切に検波できるように構成されている。そして、検波部１１ａは、時定数τ１以上の出力間隔毎に磁界検知部６から出力される磁界検知信号を検波することにより、磁界発生部７からバースト状に出力される交流磁界の出力回数（磁界検知部６から出力される磁界検知信号の出力回数）に一致する数のパルス信号をカウンタ部１３ａへ連続的に出力することができるように構成されている。
【００２９】
タイマ部１２ａは、一定時間ＴＡ１が経過した際に、カウンタ部１３ａのカウント値を０にリセットさせるように動作する。
【００３０】
なお、本実施例のタイマ部１２ａは、検波部１１ａがパルス信号を出力し始めてから一定時間ＴＡ１が経過するまで時間の計測を行うものに限らず、例えば、検波部１１ａから出力されるパルス信号の出力間隔に相当する時間の計測を行うものであってもよく、または、これら２つの時間の計測を同時に行うものであってもよい。さらに、タイマ部１２ａが検波部１１ａから出力されるパルス信号の出力間隔に相当する時間の計測を行うように構成されている場合においては、前述の時定数τ１とタイマ部１２ａの計測時間とが略一致するようにしてもよい。
【００３１】
カウンタ部１３ａは、検波部１１ａからのパルス信号の入力回数を１ずつカウントして得たカウント値が信号出力カウント値ＰＡに達したことを検出した際に、出力信号をラッチ部１４ａへ出力するように構成されている。
【００３２】
一方、信号受信部１０ｂは、図２に示すように、磁界検知部６から出力される磁界検知信号の信号レベルを閾値ＴＨ２以上の信号レベルへ増幅する増幅部２１と、閾値ＴＨ２以上の信号レベルを具備する磁界検知信号を検波してパルス信号を出力する検波部１１ｂと、検波部１１ｂがパルス信号を出力し始めてから一定時間ＴＡ２が経過するまで時間の計測を行うタイマ部１２ｂと、検波部１１ｂからのパルス信号の入力回数を１ずつカウントすることによりカウント値を得るカウンタ部１３ｂと、カウンタ部１３ｂからの出力信号が入力される毎にスイッチ部９ｂのオンオフ状態を切り替えるための切替信号の出力を反転するラッチ部１４ｂと、を有して構成されている。
【００３３】
図５は、生体情報取得装置が有する他の検波部の構成の一例を示す図である。
【００３４】
検波部１１ｂは、例えば図５に示すような、ダイオードＤＣと、コンデンサＣＣと、抵抗ＲＣと、からなるピークホールド回路として構成されている。
【００３５】
すなわち、検波部１１ｂは、磁界検知部６から出力される磁界検知信号の出力間隔がコンデンサＣＣの容量と抵抗ＲＣの抵抗値との積により定められる時定数τ２以上である場合において、磁界検知部６から出力される磁界検知信号を適切に検波できるように構成されている。そして、検波部１１ａは、時定数τ２以上の出力間隔毎に磁界検知部６から出力される磁界検知信号を検波することにより、磁界発生部７からバースト状に出力される交流磁界の出力回数（磁界検知部６から出力される磁界検知信号の出力回数）に一致する数のパルス信号をカウンタ部１３ｂへ連続的に出力することができるように構成されている。
【００３６】
タイマ部１２ｂは、一定時間ＴＡ２が経過した際に、カウンタ部１３ｂのカウント値を０にリセットさせるように動作する。
【００３７】
なお、本実施例のタイマ部１２ｂは、検波部１１ｂがパルス信号を出力し始めてから一定時間ＴＡ２が経過するまで時間の計測を行うものに限らず、例えば、検波部１１ｂから出力されるパルス信号の出力間隔に相当する時間の計測を行うものであってもよく、または、これら２つの時間の計測を同時に行うものであってもよい。さらに、タイマ部１２ｂが検波部１１ｂから出力されるパルス信号の出力間隔に相当する時間の計測を行うように構成されている場合においては、前述の時定数τ２とタイマ部１２ｂの計測時間とが一致するようにしてもよい。
【００３８】
また、本実施例によれば、前述の一定時間ＴＡ１及びＴＡ２は、同一の時間に設定されていてもよく、または、ＴＡ１＞ＴＡ２となるように設定されていてもよい。
【００３９】
カウンタ部１３ｂは、検波部１１ｂからのパルス信号の入力回数を１ずつカウントして得たカウント値が信号出力カウント値ＰＢに達したことを検出した際に、出力信号をラッチ部１４ｂへ出力するように構成されている。
【００４０】
なお、前述の信号出力カウント値ＰＡ及びＰＢは、ＰＡ＞ＰＢの大小関係を有する限りにおいては、それぞれ任意の値に設定してもよい。
【００４１】
また、本実施例においては、検波部１１ａの時定数τ１と、検波部１１ｂの時定数τ２と、が同じ値になるように、コンデンサＣＢ及びＣＣの容量と、抵抗ＲＢ及びＲＣの抵抗値と、がそれぞれ設定されているものとする。
【００４２】
ここで、被検者の体腔内に生体情報取得装置１が配置される場合について、図６のタイミングチャートを適宜参照しながら詳細な説明を行う。図６は、第１の実施例における生体情報取得装置の動作の一例を説明するためのタイミングチャートである。
【００４３】
なお、図６のタイミングチャートに関する説明においては、簡単のため、ラッチ部１４ａ及び１４ｂが、それぞれＤフリップフロップにより構成されており、かつ、信号の立ち上がりに同期して動作するものとして説明を進める。また、図６のタイミングチャートに関する説明においては、簡単のため、前述の信号出力カウント値ＰＡの値を２４とし、かつ、前述の信号出力カウント値ＰＢの値を１６とした場合を例に挙げて述べる。
【００４４】
まず、時刻ｔ１以前の期間に相当する初期状態においては、磁界発生部７から交流磁界が発生されないため、スイッチ部９ａ及び９ｂがいずれもオフされている。そして、このような初期状態においては、信号受信部１０ａに対して電源部８からの電力が供給される一方で、照明部２、撮像部３、無線送信部４、及び、信号受信部１０ｂの各部に対しては電源部８からの電力が供給されない。また、前述の初期状態においては、照明部２、撮像部３、無線送信部４、及び、信号受信部１０ｂの各部の動作が完全に停止しているとともに、磁界発生部７から交流磁界が発生されないことに伴い、信号受信部１０ａが殆ど動作しない。そのため、前述の初期状態においては、電源部８から供給される電力の消費が最小限に抑えられたまま、磁界検知部６からの磁界検知信号の入力待機状態が維持される。
【００４５】
そして、時刻ｔ１において、例えば、磁界発生部７に設けられた第１の磁界発生スイッチ（図示せず）が術者等によりオンされると、所定の周期で１回ずつ全２４回発せられるバースト状の交流磁界のうちの、１回目のバースト状の交流磁界が磁界発生部７から発せられる。
【００４６】
また、時刻ｔ１において、全２４回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ１において行われるに伴い、カウンタ部１３ａのカウント値が１に更新される。
【００４７】
その後、時刻ｔ２において、全２４回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ２において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオフからオンへ切り替えられる。
【００４８】
従って、以上に述べたような各部の動作によれば、時刻ｔ２に達した時点において、スイッチ部９ａがオンされることに伴い、電源部８から信号受信部１０ｂへの電力の供給が開始される。
【００４９】
なお、時刻ｔ２以前においては、信号受信部１０ｂへの電力の供給が行われないため、磁界検知部６からの磁界検知信号が信号受信部１０ｂ（の増幅部２１）に入力されたとしても、ラッチ部１４ｂから切替信号が出力されず、スイッチ部９ｂがオフされたままとなる。
【００５０】
一方、タイマ部１２ａは、時刻ｔ２の後の時刻ｔ３において、一定時間ＴＡ１を計測するための計時動作を完了する際に、カウンタ部１３ａのカウント値を０にリセットさせるように動作する。換言すると、時刻ｔ１から時刻ｔ３までの期間に相当する一定時間ＴＡ１が経過するまでにカウンタ部１３ａのカウント値が２４に達しない場合においては、カウンタ部１３ａのカウント値が０にリセットされることにより、ラッチ部１４ａから出力される切替信号が反転されないまま維持され、スイッチ部９ａがオフからオンへ切り替えられないため、電源部８から信号受信部１０ｂへの電力の供給が開始されない。
【００５１】
続いて、時刻ｔ３の後の時刻ｔ４において、被検者が生体情報取得装置１を嚥下することにより、生体情報取得装置１が被検者の体腔内に配置される。
【００５２】
その後、時刻ｔ５において、例えば、磁界発生部７に設けられた第２の磁界発生スイッチ（図示せず）が術者等によりオンされると、所定の周期で１回ずつ全１６回発せられるバースト状の交流磁界のうちの、１回目のバースト状の交流磁界が磁界発生部７から発せられる。
【００５３】
また、時刻ｔ５において、全１６回のうちの１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ５において行われるに伴い、カウンタ部１３ｂのカウント値が１に更新される。
【００５４】
その後、時刻ｔ６において、全１６回のうちの１６回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ６において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【００５５】
従って、以上に述べたような各部の動作によれば、時刻ｔ６に達した時点において、スイッチ部９ｂがオンされることに伴い、電源部８から照明部２、撮像部３及び無線送信部４の各部への電力の供給が開始され、すなわち、被検者の体腔内の画像データを取得することが可能な状態へ移行する。
【００５６】
なお、時刻ｔ５以降においては、生体情報取得装置１が被検者の体腔内に配置されていることに起因し、磁界検知部６から出力される磁界検知信号の信号レベルが検波部１１ａにおいて検波可能な閾値ＴＨ１未満になる。そのため、時刻ｔ５以降において、生体情報取得装置１が被検者の体腔内に配置されている最中に磁界検知部６からの磁界検知信号が信号受信部１０ａ（の検波部１１ａ）に入力されたとしても、ラッチ部１４ａから出力される切替信号が反転されず、スイッチ部９ａがオンされたままとなる。
【００５７】
一方、タイマ部１２ｂは、時刻ｔ６の後の時刻ｔ７において、一定時間ＴＡ２を計測するための計時動作を完了する際に、カウンタ部１３ｂのカウント値を０にリセットさせるように動作する。換言すると、時刻ｔ５から時刻ｔ７までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオフからオンへ切り替えられないため、電源部８から照明部２、撮像部３及び無線送信部４の各部への電力の供給が開始されない。
【００５８】
その後、時刻ｔ８において、例えば、磁界発生部７に設けられた第２の磁界発生スイッチ（図示せず）が術者等により再度オンされると、所定の周期で１回ずつ全１６回発せられるバースト状の交流磁界のうちの、１回目のバースト状の交流磁界が磁界発生部７から発せられる。
【００５９】
また、時刻ｔ８において、全１６回のうちの１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ８において行われるに伴い、カウンタ部１３ｂのカウント値が１に更新される。
【００６０】
その後、時刻ｔ９において、全１６回のうちの１６回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ９において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオンからオフへ切り替えられる。
【００６１】
従って、以上に述べたような各部の動作によれば、時刻ｔ９に達した時点において、スイッチ部９ｂがオンからオフへ切り替えられることに伴い、電源部８から照明部２、撮像部３及び無線送信部４の各部への電力の供給が停止され、すなわち、被検者の体腔内の画像データを取得することが可能な状態から不可能な状態へ移行する。
【００６２】
また、以上に述べたような時刻ｔ８から時刻ｔ９までの動作によれば、例えば、時刻ｔ７以降において取得された画像データを図示しないモニタ等に表示させて確認することにより、生体情報取得装置１が所望の観察部位に到達していないことが判明したような場合等において、照明部２、撮像部３及び無線送信部４の各部への電力の供給を一旦停止させることができる。
【００６３】
一方、タイマ部１２ｂは、時刻ｔ９の後の時刻ｔ１０において、一定時間ＴＡ２を計測するための計時動作を完了する際に、カウンタ部１３ｂのカウント値を０にリセットさせるように動作する。換言すると、時刻ｔ８から時刻ｔ１０までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオンからオフへ切り替えられないため、電源部８から照明部２、撮像部３及び無線送信部４の各部への電力の供給が継続される。
【００６４】
すなわち、以上に述べたような時刻ｔ５から時刻ｔ１０までの動作によれば、スイッチ部９ａがオンされている場合において、第２の磁界発生スイッチ（図示せず）のオンオフが術者等により切り替えられるに伴い、スイッチ部９ｂのオンオフが切り替わる。そのため、以上に述べたような時刻ｔ５から時刻ｔ１０までの動作によれば、電源部８から照明部２、撮像部３及び無線送信部４の各部への電力の供給に係る動作を、第２の磁界発生スイッチ（図示せず）のオンオフの切り替えに伴うトグル動作とみなすことができる。
【００６５】
次に、被検者の体腔内に生体情報取得装置１が配置される前に動作確認が行われる場合について、図７のタイミングチャートを適宜参照しながら詳細な説明を行う。図７は、第１の実施例における生体情報取得装置の動作の、図６とは異なる例を説明するためのタイミングチャートである。
【００６６】
なお、図７のタイミングチャートに関する説明においては、簡単のため、ラッチ部１４ａ及び１４ｂが、それぞれＤフリップフロップにより構成されており、かつ、信号の立ち上がりに同期して動作するものとして説明を進める。また、図７のタイミングチャートに関する説明においては、簡単のため、前述の信号出力カウント値ＰＡの値を２４とし、かつ、前述の信号出力カウント値ＰＢの値を１６とした場合を例に挙げて述べる。さらに、図７のタイミングチャートに関する説明においては、簡単のため、前述のＴＡ１＝ＴＡ２とした場合を例に挙げて述べる。
【００６７】
まず、時刻ｔ１１以前の期間に相当する初期状態においては、磁界発生部７から交流磁界が発生されないため、スイッチ部９ａ及び９ｂがいずれもオフされている。そして、このような初期状態においては、信号受信部１０ａに対して電源部８からの電力が供給される一方で、照明部２、撮像部３、無線送信部４、及び、信号受信部１０ｂの各部に対しては電源部８からの電力が供給されない。
【００６８】
そして、時刻ｔ１１において、例えば、磁界発生部７に設けられた第１の磁界発生スイッチ（図示せず）が術者等によりオンされると、所定の周期で１回ずつ全２４回発せられるバースト状の交流磁界のうちの、１回目のバースト状の交流磁界が磁界発生部７から発せられる。
【００６９】
また、時刻ｔ１１において、全２４回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ１１において行われるに伴い、カウンタ部１３ａのカウント値が１に更新される。
【００７０】
その後、時刻ｔ１２において、全２４回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ１２において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオフからオンへ切り替えられる。
【００７１】
従って、以上に述べたような各部の動作によれば、時刻ｔ１２に達した時点において、スイッチ部９ａがオンされることに伴い、電源部８から信号受信部１０ｂへの電力の供給が開始される。
【００７２】
なお、時刻ｔ１２以前においては、信号受信部１０ｂへの電力の供給が行われないため、磁界検知部６からの磁界検知信号が信号受信部１０ｂ（の増幅部２１）に入力されたとしても、ラッチ部１４ｂから切替信号が出力されず、スイッチ部９ｂがオフされたままとなる。
【００７３】
一方、タイマ部１２ａは、時刻ｔ１２の後の時刻ｔ１３において、一定時間ＴＡ１を計測するための計時動作を完了する際に、カウンタ部１３ａのカウント値を０にリセットさせるように動作する。換言すると、時刻ｔ１１から時刻ｔ１３までの期間に相当する一定時間ＴＡ１が経過するまでにカウンタ部１３ａのカウント値が２４に達しない場合においては、カウンタ部１３ａのカウント値が０にリセットされることにより、ラッチ部１４ａから出力される切替信号が反転されないまま維持され、スイッチ部９ａがオフからオンへ切り替えられないため、電源部８から信号受信部１０ｂへの電力の供給が開始されない。
【００７４】
続いて、時刻ｔ１３の後の時刻ｔ１４において、例えば、磁界発生部７に設けられた第２の磁界発生スイッチ（図示せず）が術者等によりオンされると、所定の周期で１回ずつ全１６回発せられるバースト状の交流磁界のうちの、１回目のバースト状の交流磁界が磁界発生部７から発せられる。
【００７５】
また、時刻ｔ１４において、全１６回のうちの１回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ１４において行われるに伴い、カウンタ部１３ｂのカウント値が１に更新される。
【００７６】
その後、時刻ｔ１５において、全１６回のうちの１６回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ１５において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【００７７】
従って、以上に述べたような各部の動作によれば、時刻ｔ１５に達した時点において、スイッチ部９ｂがオンされることに伴い、電源部８から照明部２、撮像部３及び無線送信部４の各部への電力の供給が開始され、すなわち、生体情報取得装置１の動作確認が可能な状態へ移行する。
【００７８】
一方、タイマ部１２ａは、時刻ｔ１５の後の時刻ｔ１６において、一定時間ＴＡ１を計測するための計時動作を完了する際に、カウンタ部１３ａのカウント値を０にリセットさせるように動作する。また、タイマ部１２ｂは、時刻ｔ１５の後の時刻ｔ１６において、一定時間ＴＡ２を計測するための計時動作を完了する際に、カウンタ部１３ｂのカウント値を０にリセットさせるように動作する。
【００７９】
ここで、時刻ｔ１４以降においては、生体情報取得装置１が被検者の体腔内に配置される前であることに起因し、磁界検知部６から出力される磁界検知信号の信号レベルが検波部１１ａにおいて検波可能な閾値ＴＨ１以上になる。しかし、時刻ｔ１４から時刻ｔ１６までの期間に相当する一定時間ＴＡ１が経過した際において、カウンタ部１３ａのカウント値が１６以下である状態から０にリセットされるため、時刻ｔ１６を過ぎてもラッチ部１４ａから出力される切替信号が反転されず、すなわち、時刻ｔ１６を過ぎてもスイッチ部９ａがオンされたままとなる。
【００８０】
続いて、生体情報取得装置１の動作確認が完了した後の時刻ｔ１７において、例えば、磁界発生部７に設けられた第１の磁界発生スイッチ（図示せず）が術者等により再度オンされると、所定の周期で１回ずつ全２４回発せられるバースト状の交流磁界のうちの、１回目のバースト状の交流磁界が磁界発生部７から発せられる。
【００８１】
そして、時刻ｔ１７において、全２４回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。また、時刻ｔ１７において、全２４回のうちの１回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ１７において行われるに伴い、カウンタ部１３ａ及びカウンタ部１３ｂのカウント値がそれぞれ１に更新される。
【００８２】
その後、時刻ｔ１８において、全２４回のうちの１６回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ１８において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオンからオフへ切り替えられる。
【００８３】
また、時刻ｔ１８の後の時刻ｔ２０において、全２４回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ２０において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオンからオフへ切り替えられる。
【００８４】
なお、時刻ｔ１８の略直後の時刻ｔ１９以降において、全２４回のうちの１７回目のバースト状の交流磁界が磁界発生部７から発せられるに伴い、カウンタ部１３ｂによるカウント値が再度１ずつ増加してゆく。しかし、時刻ｔ２０の略直後においてスイッチ部９ａがオフされることに伴い、信号受信部１０ｂへの電力の供給が停止し、ラッチ部１４ｂから切替信号が出力されなくなるため、時刻ｔ２０を過ぎてもスイッチ部９ｂがオフされたままとなる。
【００８５】
従って、術者等は、被検体の体腔内へ配置する前に生体情報取得装置１の動作確認を行った後、磁界発生部７に設けられた第１の磁界発生スイッチを操作することにより、生体情報取得装置１の電源状態を、照明部２、撮像部３及び無線送信部４の各部が動作している高消費電力の状態から、磁界検知部６からの磁界検知信号の入力待機状態に相当する低消費電力状態へ一度に移行させることができる。
【００８６】
以上に述べたように、本実施例によれば、バースト状に発せられる交流磁界の検知結果に応じて出力される磁界検知信号の出力回数に基づき、生体情報取得装置の電源状態を変更するための制御を行うことができるような構成を備えている。そのため、本実施例によれば、例えば、生体情報取得装置に内蔵されるアンテナを大型化せずとも、生体情報取得装置の電源のオンオフの切り替えを従来に比べて確実に行うことができる。
【００８７】
なお、本実施例によれば、例えば、前述の第１及び第２の磁界発生スイッチに加え、所定の周期で１回ずつ全４０回のバースト状の交流磁界を発生させるための第３の磁界発生スイッチ（図示せず）を磁界発生部７に設けて構成してもよい。
【００８８】
ここで、被検体の体腔内に生体情報取得装置１を配置する前に、前述の第３の磁界発生スイッチの操作に応じて生体情報取得装置１の電源状態が変更される場合について、図８及び図９のタイミングチャートを適宜参照しながら詳細な説明を行う。図８は、第１の実施例における生体情報取得装置の動作の、図６及び図７とは異なる例を説明するためのタイミングチャートである。図９は、第１の実施例における生体情報取得装置の動作の、図６、図７及び図８とは異なる例を説明するためのタイミングチャートである。
【００８９】
なお、図８及び図９のタイミングチャートに関する説明においては、簡単のため、ラッチ部１４ａ及び１４ｂが、それぞれＤフリップフロップにより構成されており、かつ、信号の立ち上がりに同期して動作するものとして説明を進める。また、図８及び図９のタイミングチャートに関する説明においては、簡単のため、前述の信号出力カウント値ＰＡの値を２４とし、かつ、前述の信号出力カウント値ＰＢの値を１６とした場合を例に挙げて述べる。さらに、図８及び図９のタイミングチャートに関する説明においては、簡単のため、前述のＴＡ１＝ＴＡ２とした場合を例に挙げて述べる。
【００９０】
まず、時刻ｔ３１以前の期間に相当する初期状態においては、磁界発生部７から交流磁界が発生されないため、スイッチ部９ａ及び９ｂがいずれもオフされている。そして、このような初期状態においては、信号受信部１０ａに対して電源部８からの電力が供給される一方で、照明部２、撮像部３、無線送信部４、及び、信号受信部１０ｂの各部に対しては電源部８からの電力が供給されない。
【００９１】
そして、時刻ｔ３１において、磁界発生部７に設けられた第３の磁界発生スイッチ（図示せず）が術者等によりオンされると、所定の周期で１回ずつ全４０回発せられるバースト状の交流磁界のうちの、１回目のバースト状の交流磁界が磁界発生部７から発せられる。
【００９２】
また、時刻ｔ３１において、全４０回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ３１において行われるに伴い、カウンタ部１３ａのカウント値が１に更新される。
【００９３】
その後、時刻ｔ３２において、全４０回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ３２において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオフからオンへ切り替えられる。
【００９４】
タイマ部１２ａは、時刻ｔ３２が経過した略直後において、一定時間ＴＡ１を計測するための計時動作を完了する際に、カウンタ部１３ａのカウント値を０にリセットさせるように動作する。
【００９５】
そして、時刻ｔ３３において、全４０回のうちの４０回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ３３において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【００９６】
なお、時刻ｔ３３以降において、例えば、被検体の体腔内に生体情報取得装置１が配置され、さらに、磁界発生部７に設けられた第２の磁界発生スイッチ（図示せず）が術者等によりオンされた場合には、図６の時刻ｔ８から時刻ｔ９までにおけるものと同様の動作が行われることにより、スイッチ部９ｂがオンからオフに切り替えられるとともに、照明部２、撮像部３及び無線送信部４の各部への電源の供給が停止される。
【００９７】
一方、時刻ｔ３３以降の時刻ｔ４１において、磁界発生部７に設けられた第３の磁界発生スイッチ（図示せず）が術者等によりオンされると、所定の周期で１回ずつ全４０回発せられるバースト状の交流磁界のうちの、１回目のバースト状の交流磁界が磁界発生部７から発せられる。
【００９８】
そして、時刻ｔ４１において、全４０回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。また、時刻ｔ４１において、全４０回のうちの１回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ４１において行われるに伴い、カウンタ部１３ａ及びカウンタ部１３ｂのカウント値がそれぞれ１に更新される。
【００９９】
その後、時刻ｔ４２において、全４０回のうちの１６回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ４２において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオンからオフへ切り替えられる。
【０１００】
また、時刻ｔ４３において、全４０回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ４３において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオンからオフへ切り替えられる。
【０１０１】
タイマ部１２ａは、時刻ｔ４３が経過した略直後において、一定時間ＴＡ１を計測するための計時動作を完了する際に、カウンタ部１３ａのカウント値を０にリセットさせるように動作する。
【０１０２】
なお、時刻ｔ４２が経過した以降においても、タイマ部１２ｂによる計時動作、及び、カウンタ部１３ｂによるカウント値の取得が継続して行われる。しかし、時刻ｔ４３の略直後においてスイッチ部９ａがオフされることに伴い、信号受信部１０ｂへの電力の供給が停止し、ラッチ部１４ｂから切替信号が出力されなくなるため、時刻ｔ４３を過ぎてもスイッチ部９ｂがオフされたままとなる。
【０１０３】
また、時刻ｔ４３が経過した以降において、全４０回のうちの２５回目のバースト状の交流磁界が磁界発生部７から発せられるに伴い、カウンタ部１３ａによるカウント値が再度１ずつ増加してゆく。しかし、時刻ｔ４３以降の時刻ｔ４４において、全４０回のうちの４０回目のバースト状の交流磁界が磁界発生部７から発せられるに伴い、一定時間ＴＡ１の計測期間中にカウンタ部１３ａによるカウント値が２４に達することがなくなるため、時刻ｔ４４を過ぎてもラッチ部１４ａから出力される切替信号が反転されず、すなわち、時刻ｔ４４を過ぎてもスイッチ部９ａがオフされたままとなる。
【０１０４】
すなわち、以上に述べたような、磁界発生部７に設けられた第３の磁界発生スイッチの操作に応じて生体情報取得装置１の電源状態を切り替え可能な構成によれば、被検体の体腔内に生体情報取得装置１を配置する前に、生体情報取得装置１がオンまたはオフされているかを目視により容易に確認することができる。
【０１０５】
なお、本実施例によれば、磁界発生部７に第１の磁界発生スイッチ、第２の磁界発生スイッチ、及び、第３の磁界発生スイッチ（いずれも図示せず）を設け、夫々のスイッチの操作に応じた回数のバースト状の交流磁界を発生する例を示したが、このような構成に限定されるものではない。具体的には、例えば、１６回、２４回、及び、４０回のバースト状の交流磁界を発生するコイルを、一体として構成しても良く、あるいは、その一部または全てを別体として構成しても良い。また、例えば、１６回、２４回、及び、４０回のバースト状の交流磁界を発生する装置を、（磁界発生部７のように）一体として構成しても良く、あるいは、その一部または全てを別体として構成しても良い。
【０１０６】
（第２の実施例）
図１０及び図１１は、本発明の第２の実施例に係るものである。
【０１０７】
なお、本実施例においては、第１の実施例と同様の構成等を有する部分に関する詳細な説明を省略するとともに、第１の実施例と異なる構成等を有する部分に関して主に説明を行う。
【０１０８】
本実施例は、第１の実施例と略同様の構成を具備する生体情報取得システム１０１を適用可能な一方で、検波部１１ａの時定数τ１が検波部１１ｂの時定数τ２よりも大きな値となるように、コンデンサＣＢ及びＣＣの容量と、抵抗ＲＢ及びＲＣの抵抗値と、がそれぞれ設定されているという点において、第１の実施例と相違している。
【０１０９】
また、本実施例においては、カウンタ部１３ａの信号出力カウント値ＰＡと、カウンタ部１３ｂの信号出力カウント値ＰＢと、が同じ値に設定されている。
【０１１０】
さらに、本実施例の磁界発生部７には、第１、第２及び第３の磁界発生スイッチの代わりに、後述の第４及び第５の磁界発生スイッチが設けられている。
【０１１１】
なお、前述の時定数τ１及びτ２は、τ１＞τ２の大小関係を有する限りにおいては、それぞれ任意の値に設定してもよい。
【０１１２】
ここで、被検者の体腔内に生体情報取得装置１が配置される場合について、図１０のタイミングチャートを適宜参照しながら詳細な説明を行う。図１０は、第２の実施例における生体情報取得装置の動作の一例を説明するためのタイミングチャートである。
【０１１３】
なお、図１０のタイミングチャートに関する説明においては、簡単のため、ラッチ部１４ａ及び１４ｂが、それぞれＤフリップフロップにより構成されており、かつ、信号の立ち上がりに同期して動作するものとして説明を進める。また、図１０のタイミングチャートに関する説明においては、簡単のため、前述の信号出力カウント値ＰＡ及びＰＢの値をいずれも１６とし、かつ、時定数τ２を時定数τ１の半分とした場合を例に挙げて述べる。
【０１１４】
まず、時刻ｔ５１以前の期間に相当する初期状態においては、磁界発生部７から交流磁界が発生されないため、スイッチ部９ａ及び９ｂがいずれもオフされている。そして、このような初期状態においては、信号受信部１０ａに対して電源部８からの電力が供給される一方で、照明部２、撮像部３、無線送信部４、及び、信号受信部１０ｂの各部に対しては電源部８からの電力が供給されない。また、前述の初期状態においては、照明部２、撮像部３、無線送信部４、及び、信号受信部１０ｂの各部の動作が完全に停止しているとともに、磁界発生部７から交流磁界が発生されないことに伴い、信号受信部１０ａが殆ど動作しない。そのため、前述の初期状態においては、電源部８から供給される電力の消費が最小限に抑えられたまま、磁界検知部６からの磁界検知信号の入力待機状態が維持される。
【０１１５】
そして、時刻ｔ５１において、例えば、磁界発生部７に設けられた第４の磁界発生スイッチ（図示せず）が術者等によりオンされると、時定数τ１に一致する周期ＴＢ１で１回ずつ全１６回発せられるバースト状の交流磁界のうちの、１回目のバースト状の交流磁界が磁界発生部７から発せられる。
【０１１６】
また、時刻ｔ５１において、全１６回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ５１において行われるに伴い、カウンタ部１３ａのカウント値が１に更新される。
【０１１７】
その後、時刻ｔ５２において、全１６回のうちの１６回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ５２において行われるに伴い、カウンタ部１３ａのカウント値が１６に更新され、カウンタ部１３ａから出力される出力信号がラッチ部１４ａに入力され、ラッチ部１４ａから出力される切替信号が反転され、スイッチ部９ａがオフからオンへ切り替えられる。
【０１１８】
従って、以上に述べたような各部の動作によれば、時刻ｔ５２に達した時点において、スイッチ部９ａがオンされることに伴い、電源部８から信号受信部１０ｂへの電力の供給が開始される。
【０１１９】
なお、時刻ｔ５２以前においては、信号受信部１０ｂへの電力の供給が行われないため、磁界検知部６からの磁界検知信号が信号受信部１０ｂ（の増幅部２１）に入力されたとしても、ラッチ部１４ｂから切替信号が出力されず、スイッチ部９ｂがオフされたままとなる。
【０１２０】
一方、タイマ部１２ａは、時刻ｔ５２の後の時刻ｔ５３において、一定時間ＴＡ１を計測するための計時動作を完了する際に、カウンタ部１３ａのカウント値を０にリセットさせるように動作する。換言すると、時刻ｔ５１から時刻ｔ５３までの期間に相当する一定時間ＴＡ１が経過するまでにカウンタ部１３ａのカウント値が１６に達しない場合においては、カウンタ部１３ａのカウント値が０にリセットされることにより、ラッチ部１４ａから出力される切替信号が反転されないまま維持され、スイッチ部９ａがオフからオンへ切り替えられないため、電源部８から信号受信部１０ｂへの電力の供給が開始されない。
【０１２１】
続いて、時刻ｔ５３の後の時刻ｔ５４において、被検者が生体情報取得装置１を嚥下することにより、生体情報取得装置１が被検者の体腔内に配置される。
【０１２２】
その後、時刻ｔ５５において、例えば、磁界発生部７に設けられた第５の磁界発生スイッチ（図示せず）が術者等によりオンされると、時定数τ２に一致する周期ＴＢ２で１回ずつ全１６回発せられるバースト状の交流磁界のうちの、１回目のバースト状の交流磁界が磁界発生部７から発せられる。
【０１２３】
また、時刻ｔ５５において、全１６回のうちの１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ５５において行われるに伴い、カウンタ部１３ｂのカウント値が１に更新される。
【０１２４】
その後、時刻ｔ５６において、全１６回のうちの１６回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ５６において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【０１２５】
従って、以上に述べたような各部の動作によれば、時刻ｔ５６に達した時点において、スイッチ部９ｂがオンされることに伴い、電源部８から照明部２、撮像部３及び無線送信部４の各部への電力の供給が開始され、すなわち、被検者の体腔内の画像データを取得することが可能な状態へ移行する。
【０１２６】
なお、時刻ｔ５５以降においては、生体情報取得装置１が被検者の体腔内に配置されていることに起因し、磁界検知部６から出力される磁界検知信号の信号レベルが検波部１１ａにおいて検波可能な閾値ＴＨ１未満になる。また、時定数τ１となるように設定された検波部１１ａにおいては、周期ＴＢ１の半分の周期ＴＢ２毎に磁界検知部６から出力される磁界検知信号の出力間隔に同期して検波を行うことができない。そのため、時刻ｔ５５以降において、生体情報取得装置１が被検者の体腔内に配置されている最中に磁界検知部６からの磁界検知信号が信号受信部１０ａ（の検波部１１ａ）に入力されたとしても、ラッチ部１４ａから出力される切替信号が反転されず、スイッチ部９ａがオンされたままとなる。
【０１２７】
一方、タイマ部１２ｂは、時刻ｔ５６の後の時刻ｔ５７において、一定時間ＴＡ２を計測するための計時動作を完了する際に、カウンタ部１３ｂのカウント値を０にリセットさせるように動作する。換言すると、時刻ｔ５５から時刻ｔ５７までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオフからオンへ切り替えられないため、電源部８から照明部２、撮像部３及び無線送信部４の各部への電力の供給が開始されない。
【０１２８】
その後、時刻ｔ５８において、例えば、磁界発生部７に設けられた第５の磁界発生スイッチ（図示せず）が術者等により再度オンされると、時定数τ２に一致する周期ＴＢ２で１回ずつ全１６回発せられるバースト状の交流磁界のうちの、１回目のバースト状の交流磁界が磁界発生部７から発せられる。
【０１２９】
また、時刻ｔ５８において、全１６回のうちの１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ５８において行われるに伴い、カウンタ部１３ｂのカウント値が１に更新される。
【０１３０】
その後、時刻ｔ５９において、全１６回のうちの１６回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ５９において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオンからオフへ切り替えられる。
【０１３１】
従って、以上に述べたような各部の動作によれば、時刻ｔ５９に達した時点において、スイッチ部９ｂがオンからオフへ切り替えられることに伴い、電源部８から照明部２、撮像部３及び無線送信部４の各部への電力の供給が停止され、すなわち、被検者の体腔内の画像データを取得することが可能な状態から不可能な状態へ移行する。
【０１３２】
また、以上に述べたような時刻ｔ５８から時刻ｔ５９までの動作によれば、例えば、時刻ｔ５７以降において取得された画像データを図示しないモニタ等に表示させて確認することにより、生体情報取得装置１が所望の観察部位に到達していないことが判明したような場合等において、照明部２、撮像部３及び無線送信部４の各部への電力の供給を一旦停止させることができる。
【０１３３】
一方、タイマ部１２ｂは、時刻ｔ５９の後の時刻ｔ６０において、一定時間ＴＡ２を計測するための計時動作を完了する際に、カウンタ部１３ｂのカウント値を０にリセットさせるように動作する。換言すると、時刻ｔ５８から時刻ｔ６０までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオンからオフへ切り替えられないため、電源部８から照明部２、撮像部３及び無線送信部４の各部への電力の供給が継続される。
【０１３４】
次に、被検者の体腔内に生体情報取得装置１が配置される前に動作確認が行われる場合について、図１１のタイミングチャートを適宜参照しながら詳細な説明を行う。図１１は、第２の実施例における生体情報取得装置の動作の、図１０とは異なる例を説明するためのタイミングチャートである。
【０１３５】
なお、図１１のタイミングチャートに関する説明においては、簡単のため、ラッチ部１４ａ及び１４ｂが、それぞれＤフリップフロップにより構成されており、かつ、信号の立ち上がりに同期して動作するものとして説明を進める。また、図１１のタイミングチャートに関する説明においては、簡単のため、前述の信号出力カウント値ＰＡ及びＰＢの値をいずれも１６とし、かつ、時定数τ２を時定数τ１の半分とした場合を例に挙げて述べる。さらに、図１１のタイミングチャートに関する説明においては、簡単のため、前述のＴＡ１＝ＴＡ２とした場合を例に挙げて述べる。
【０１３６】
まず、時刻ｔ６１以前の期間に相当する初期状態においては、磁界発生部７から交流磁界が発生されないため、スイッチ部９ａ及び９ｂがいずれもオフされている。そして、このような初期状態においては、信号受信部１０ａに対して電源部８からの電力が供給される一方で、照明部２、撮像部３、無線送信部４、及び、信号受信部１０ｂの各部に対しては電源部８からの電力が供給されない。
【０１３７】
そして、時刻ｔ６１において、例えば、磁界発生部７に設けられた第４の磁界発生スイッチ（図示せず）が術者等によりオンされると、時定数τ１に一致する周期ＴＢ１で１回ずつ全１６回発せられるバースト状の交流磁界のうちの、１回目のバースト状の交流磁界が磁界発生部７から発せられる。
【０１３８】
また、時刻ｔ６１において、全１６回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ６１において行われるに伴い、カウンタ部１３ａのカウント値が１に更新される。
【０１３９】
その後、時刻ｔ６２において、全１６回のうちの１６回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ６２において行われるに伴い、カウンタ部１３ａのカウント値が１６に更新され、カウンタ部１３ａから出力される出力信号がラッチ部１４ａに入力され、ラッチ部１４ａから出力される切替信号が反転され、スイッチ部９ａがオフからオンへ切り替えられる。
【０１４０】
従って、以上に述べたような各部の動作によれば、時刻ｔ６２に達した時点において、スイッチ部９ａがオンされることに伴い、電源部８から信号受信部１０ｂへの電力の供給が開始される。
【０１４１】
なお、時刻ｔ６２以前においては、信号受信部１０ｂへの電力の供給が行われないため、磁界検知部６からの磁界検知信号が信号受信部１０ｂ（の増幅部２１）に入力されたとしても、ラッチ部１４ｂから切替信号が出力されず、スイッチ部９ｂがオフされたままとなる。
【０１４２】
一方、タイマ部１２ａは、時刻ｔ６２の後の時刻ｔ６３において、一定時間ＴＡ１を計測するための計時動作を完了する際に、カウンタ部１３ａのカウント値を０にリセットさせるように動作する。換言すると、時刻ｔ６１から時刻ｔ６３までの期間に相当する一定時間ＴＡ１が経過するまでにカウンタ部１３ａのカウント値が１６に達しない場合においては、カウンタ部１３ａのカウント値が０にリセットされることにより、ラッチ部１４ａから出力される切替信号が反転されないまま維持され、スイッチ部９ａがオフからオンへ切り替えられないため、電源部８から信号受信部１０ｂへの電力の供給が開始されない。
【０１４３】
続いて、時刻ｔ６３の後の時刻ｔ６４において、例えば、磁界発生部７に設けられた第５の磁界発生スイッチ（図示せず）が術者等によりオンされると、時定数τ２に一致する周期ＴＢ２で１回ずつ全１６回発せられるバースト状の交流磁界のうちの、１回目のバースト状の交流磁界が磁界発生部７から発せられる。
【０１４４】
また、時刻ｔ６４において、全１６回のうちの１回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ６４において行われるに伴い、カウンタ部１３ｂのカウント値が１に更新される。
【０１４５】
その後、時刻ｔ６５において、全１６回のうちの１６回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ６５において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【０１４６】
従って、以上に述べたような各部の動作によれば、時刻ｔ６５に達した時点において、スイッチ部９ｂがオンされることに伴い、電源部８から照明部２、撮像部３及び無線送信部４の各部への電力の供給が開始され、すなわち、生体情報取得装置１の動作確認が可能な状態へ移行する。
【０１４７】
一方、タイマ部１２ａは、時刻ｔ６５の後の時刻ｔ６６において、一定時間ＴＡ１を計測するための計時動作を完了する際に、カウンタ部１３ａのカウント値を０にリセットさせるように動作する。また、タイマ部１２ｂは、時刻ｔ１５の後の時刻ｔ１６において、一定時間ＴＡ２を計測するための計時動作を完了する際に、カウンタ部１３ｂのカウント値を０にリセットさせるように動作する。
【０１４８】
ここで、時刻ｔ６４以降においては、生体情報取得装置１が被検者の体腔内に配置される前であることに起因し、磁界検知部６から出力される磁界検知信号の信号レベルが検波部１１ａにおいて検波可能な閾値ＴＨ１以上になる。しかし、時定数τ１となるように設定された検波部１１ａにおいては、周期ＴＢ１の半分の周期ＴＢ２毎に磁界検知部６から出力される磁界検知信号の出力間隔に同期して検波を行うことができない。そして、このような検波部１１ａの動作によれば、時刻ｔ６４から時刻ｔ６６までの期間に相当する一定時間ＴＡ１が経過したとしても、カウンタ部１３ａのカウント値が１６に達することがないため、時刻ｔ６６を過ぎてもラッチ部１４ａから出力される切替信号が反転されず、すなわち、時刻ｔ６６を過ぎてもスイッチ部９ａがオンされたままとなる。
【０１４９】
続いて、生体情報取得装置１の動作確認が完了した後の時刻ｔ６７において、例えば、磁界発生部７に設けられた第４の磁界発生スイッチ（図示せず）が術者等により再度オンされると、時定数τ１に一致する周期ＴＢ１で１回ずつ全１６回発せられるバースト状の交流磁界のうちの、１回目のバースト状の交流磁界が磁界発生部７から発せられる。
【０１５０】
そして、時刻ｔ６７において、全１６回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。また、時刻ｔ６７において、全１６回のうちの１回目のバースト状の交流磁界が磁界発生部７から発せられるに伴い、閾値ＴＨ１以上の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ６７において行われるに伴い、カウンタ部１３ａ及びカウンタ部１３ｂのカウント値がそれぞれ１に更新される。
【０１５１】
その後、時刻ｔ６８において、全１６回のうちの１６回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ６８において行われるに伴い、カウンタ部１３ａのカウント値が１６に更新され、カウンタ部１３ａから出力される出力信号がラッチ部１４ａに入力され、ラッチ部１４ａから出力される切替信号が反転され、スイッチ部９ａがオンからオフへ切り替えられる。
【０１５２】
一方、時刻ｔ６８においては、スイッチ部９ａがオンからオフへ切り替えられることに伴い、信号受信部１０ｂへの電力の供給が停止し、ラッチ部１４ｂから切替信号が出力されなくなるため、スイッチ部９ｂもまたオンからオフへ切り替えられる。
【０１５３】
従って、術者等は、被検体の体腔内へ配置する前に生体情報取得装置１の動作確認を行った後、磁界発生部７に設けられた第４の磁界発生スイッチを操作することにより、生体情報取得装置１の電源状態を、照明部２、撮像部３及び無線送信部４の各部が動作している高消費電力の状態から、磁界検知部６からの磁界検知信号の入力待機状態に相当する低消費電力状態へ一度に移行させることができる。
【０１５４】
なお、本実施例によれば、例えば、前述の第４及び第５の磁界発生スイッチに加え、周期ＴＢ１で１回ずつ全１６回発せられるバースト状の交流磁界と、周期ＴＢ２で１回ずつ全１６回発せられるバースト状の交流磁界と、を連続して発生させるための第６の磁界発生スイッチ（図示せず）を磁界発生部７に設けて構成してもよい。
【０１５５】
また、第１の実施例において述べた構成と、本実施例において述べた構成と、を適宜組み合わせてもよい。
【０１５６】
なお、本実施例によれば、磁界発生部７に第４の磁界発生スイッチ、第５の磁界発生スイッチ、及び、第６の磁界発生スイッチ（いずれも図示せず）を設け、夫々のスイッチ操作に応じた周期を具備するバースト状の交流磁界を発生する例を示したが、このような構成に限定されるものではない。具体的には、例えば、夫々周期の異なるバースト状の交流磁界を発生するコイルを、一体として構成しても良く、あるいは、その一部または全てを別体として構成しても良い。また、例えば、夫々周期の異なるバースト状磁界を発生する装置を、（磁界発生部７のように）一体として構成しても良く、あるいは、その一部または全てを別体として構成しても良い。
【０１５７】
以上に述べたように、本実施例によれば、バースト状に発せられる交流磁界を検知して得られた磁界検知信号を検波可能な信号レベルの閾値と、前記磁界検知信号の出力間隔に同期した検波の可否を決定するための時定数と、の組み合わせに基づき、生体情報取得装置の電源状態を変更するための制御を行うことができるような構成を備えている。そのため、本実施例によれば、例えば、生体情報取得装置に内蔵されるアンテナを大型化せずとも、生体情報取得装置の電源のオンオフの切り替えを従来に比べて確実に行うことができる。
【０１５８】
ところで、以上に述べた第１及び第２の実施例によれば、例えば図１２に示すような、前述の電力供給部５に対して報知部３１を付加した電力供給部５Ａを具備する生体情報取得装置１Ａとして構成してもよい。図１２は、図２の生体情報取得装置に対して報知部を付加した場合の構成の一例を示す図である。
【０１５９】
電力供給部５Ａの報知部３１は、図１２に示すように、スイッチ部９ａがオンされた場合に電源部８からの電力の供給が行われ、かつ、スイッチ部９ａがオフされた場合に電源部８からの電力の供給が停止するように接続されている。
【０１６０】
また、報知部３１は、スイッチ部９ａがオンされた際に発光する発光面を生体情報取得装置１Ａの外表面に向けて配置したＬＥＤ等の発光素子、または、スイッチ部９ａがオンされた際に生体情報取得装置１Ａの外部へ無線送信される報知信号を生成可能な無線信号送信回路を有して構成されている。なお、報知部３１は、スイッチ部９ａがオンされたことを術者等に対して報知可能な構成を具備する限りにおいては、前述のものとは異なる構成を具備していてもよい。
【０１６１】
ここで、報知部３１が発光素子を有して構成されている場合には、スイッチ部９ａがオンされている際に報知部３１が発光する。また、報知部３１が発光素子を有して構成されている場合には、スイッチ部９ａがオフされている際に報知部３１が消光する。
【０１６２】
従って、報知部３１が発光素子を有して構成されている場合には、術者等は、報知部３１の発光状態を目視することにより、スイッチ部９ａがオンされているか否かを容易に確認することができる。その結果、術者等は、例えば、スイッチ部９ａを確実にオンした状態で生体情報取得装置１Ａを被検者の体腔内に配置することができる。
【０１６３】
なお、報知部３１が発光素子を有して構成されている場合には、例えば、術者が視認可能な範囲で発光素子の光量を絞ることにより、電源部８の電力の消費を極力抑制することができる。
【０１６４】
一方、報知部３１が無線信号送信回路を有して構成されている場合には、スイッチ部９ａがオフからオンへ切り替えられたタイミングにおいて、スイッチ部９ａがオンされている旨を示す報知信号の無線送信が開始される。また、報知部３１が無線信号送信回路を有して構成されている場合には、スイッチ部９ａがオンからオフへ切り替えられたタイミングにおいて、スイッチ部９ａがオンされている旨を示す報知信号の無線送信が停止される。
【０１６５】
そして、報知部３１が無線信号送信回路を有して構成されている場合には、当該無線信号送信回路から無線送信される報知信号を受信して種々の信号処理を施すことにより、スイッチ部９ａがオンされていることを示す画像または文字列等を表示装置（図示せず）に表示させることができる。
【０１６６】
従って、報知部３１が無線信号送信回路を有して構成されている場合には、術者等は、無線信号送信回路からの報知信号の無線送信に伴って表示装置（図示せず）に表示される画像または文字列等を目視することにより、スイッチ部９ａがオンされているか否かを容易に確認することができる。その結果、術者等は、例えば、スイッチ部９ａを確実にオンした状態で生体情報取得装置１Ａを被検者の体腔内に配置することができる。
【０１６７】
なお、以上に述べたような生体情報取得装置１Ａによれば、前述の報知部３１が別途設けられているものに限らず、例えば、前述の報知部３１の機能が照明部２または無線送信部４のいずれかに組み込まれていてもよい。また、報知部３１の機能を照明部２に組み込んで構成した際に、例えば、スイッチ部９ａがオンされかつスイッチ部９ｂがオフされている場合と、スイッチ部９ａ及び９ｂの両方がオンされている場合と、の間において、照明部２の発光間隔等の発光状態が相互に異なるようにしてもよい。
【０１６８】
また、以上に述べた第１及び第２の実施例によれば、例えば図１３に示すような、前述の電力供給部５に対して報知部３１及び制御部３２を付加した電力供給部５Ｂを具備する生体情報取得装置１Ｂとして構成してもよい。図１３は、図２の生体情報取得装置に対して報知部及び制御部を付加した場合の構成の一例を示す図である。
【０１６９】
電力供給部５Ｂの報知部３１は、電力供給部５Ａの報知部３１と略同様の構成及び機能を具備している。
【０１７０】
電力供給部５Ｂの制御部３２は、図１３に示すように、スイッチ部９ａの出力側と、報知部３１の入力側との間に直列接続されている。そのため、スイッチ部９ａがオンされた場合には、制御部３２及び報知部３１の両方に対して電源部８からの電力の供給が行われるとともに、スイッチ部９ａがオフされた場合には、制御部３２及び報知部３１の両方に対する電力の供給が停止する。
【０１７１】
また、電力供給部５Ｂの制御部３２は、スイッチ部９ａがオンされている場合において、報知部３１を間欠動作させるような制御信号を出力できるように構成されている。そのため、例えば、報知部３１が発光素子を有して構成されている場合には、制御部３２からの制御信号に応じて発光素子が明滅する。一方、例えば、報知部３１が無線信号送信回路を有して構成されている場合には、制御部３２からの制御信号に応じた波形を具備する報知信号が無線送信される。
【０１７２】
ここで、報知部３１が発光素子を有して構成されている場合には、スイッチ部９ａがオンされている際に報知部３１が明滅する。また、報知部３１が発光素子を有して構成されている場合には、スイッチ部９ａがオフされている際に報知部３１が消光する。
【０１７３】
従って、報知部３１が発光素子を有して構成されている場合には、術者等は、報知部３１の明滅状態を目視することにより、スイッチ部９ａがオンされているか否かを容易に確認することができる。その結果、術者等は、例えば、スイッチ部９ａを確実にオンした状態で生体情報取得装置１Ｂを被検者の体腔内に配置することができる。
【０１７４】
なお、報知部３１が発光素子を有して構成されている場合には、例えば、術者が視認可能な範囲で発光素子の光量を絞ることにより、電源部８の電力の消費を極力抑制することができる。
【０１７５】
一方、例えば、報知部３１が無線信号送信回路を有して構成されている場合には、スイッチ部９ａがオフからオンへ切り替えられたタイミングにおいて、スイッチ部９ａがオンされている旨を示す報知信号の無線送信が開始される。また、報知部３１が無線信号送信回路を有して構成されている場合には、スイッチ部９ａがオンからオフへ切り替えられたタイミングにおいて、スイッチ部９ａがオンされている旨を示す報知信号の無線送信が停止される。
【０１７６】
そして、報知部３１が無線信号送信回路を有して構成されている場合には、当該無線信号送信回路から無線送信される報知信号を受信して種々の信号処理を施すことにより、スイッチ部９ａがオンされていることを示す画像または文字列等を表示装置（図示せず）に表示させることができる。
【０１７７】
従って、報知部３１が無線信号送信回路を有して構成されている場合には、術者等は、無線信号送信回路からの報知信号の無線送信に伴って表示装置（図示せず）に表示される画像または文字列等を目視することにより、スイッチ部９ａがオンされているか否かを容易に確認することができる。その結果、術者等は、例えば、スイッチ部９ａを確実にオンした状態で生体情報取得装置１Ｂを被検者の体腔内に配置することができる。
【０１７８】
すなわち、前述の電力供給部５Ｂを具備する生体情報取得装置１Ｂによれば、電力供給部５Ａを具備する生体情報取得装置１Ａと略同様の作用効果を得ることができるとともに、スイッチ部９ａがオンされている旨を報知する際に要する消費電力を、電力供給部５Ａを具備する生体情報取得装置１Ａに比べてさらに低減することができる。
【０１７９】
また、以上に述べた第１及び第２の実施例によれば、例えば図１４に示すような、前述の電力供給部５に対して報知部３１及び制御部３２ａを付加した電力供給部５Ｃを具備する生体情報取得装置１Ｃとして構成してもよい。図１４は、図２の生体情報取得装置に対して報知部及び制御部を付加した場合の構成の、図１３とは異なる例を示す図である。
【０１８０】
電力供給部５Ｃの報知部３１は、電力供給部５Ａの報知部３１と略同様の構成及び機能を具備している。
【０１８１】
電力供給部５Ｃの制御部３２ａは、図１４に示すように、スイッチ部９ａの出力側と、報知部３１の入力側との間に直列接続されている。そのため、スイッチ部９ａがオンされた場合には、制御部３２ａ及び報知部３１の両方に対して電源部８からの電力の供給が行われるとともに、スイッチ部９ａがオフされた場合には、制御部３２ａ及び報知部３１の両方に対する電力の供給が停止する。
【０１８２】
また、電力供給部５Ｃの制御部３２ａは、スイッチ部９ａがオンされている場合において、信号受信部１０ｂのラッチ部１４ｂからの切替信号の出力状態に基づいてスイッチ部９ｂのオンオフ状態を検知するとともに、当該検知した結果に基づき、スイッチ部９ｂのオンオフ状態に対して逆の動作状態にするための制御信号を報知部３１へ出力できるように構成されている。そのため、制御部３２ａは、信号受信部１０ｂのラッチ部１４ｂからの切替信号の出力状態に基づき、例えば、スイッチ部９ｂがオフされていることを検知した場合には、報知部３１を動作させるような制御信号を出力する。また、制御部３２ａは、信号受信部１０ｂのラッチ部１４ｂからの切替信号の出力状態に基づき、例えば、スイッチ部９ｂがオンされていることを検知した場合には、報知部３１の動作を停止させるような制御信号を出力する。
【０１８３】
なお、制御部３２ａは、電力供給部５Ｂの制御部３２と略同様の機能を具備して構成されていてもよい。具体的には、制御部３２ａは、スイッチ部９ｂがオフされていることを検知した場合において、報知部３１を間欠動作させるような制御信号を出力するように構成されていてもよい。
【０１８４】
前述の電力供給部５Ｃを具備する生体情報取得装置１Ｃによれば、スイッチ部９ａがオンされかつスイッチ部９ｂがオフされている場合において、報知部３１が動作（または間欠動作）する。また、前述の電力供給部５Ｃを具備する生体情報取得装置１Ｃによれば、スイッチ部９ａ及び９ｂの両方がオンされている場合において、報知部３１の動作が停止する。
【０１８５】
ここで、報知部３１が発光素子を有して構成されている場合には、スイッチ部９ａがオンされかつスイッチ部９ｂがオフされている際に報知部３１が発光（または明滅）する。また、報知部３１が発光素子を有して構成されている場合には、スイッチ部９ａがオフされている際に報知部３１が消光する。さらに、報知部３１が発光素子を有して構成されている場合には、スイッチ部９ａ及び９ｂの両方がオンされている際に報知部３１が消光する。
【０１８６】
従って、報知部３１が発光素子を有して構成されている場合には、術者等は、報知部３１の発光（または明滅）状態を目視することにより、スイッチ部９ｂがオフされている状態でスイッチ部９ａがオンされていることを容易に確認することができる。その結果、術者等は、例えば、スイッチ部９ｂをオフするとともに、スイッチ部９ａを確実にオンした状態で生体情報取得装置１Ｃを被検者の体腔内に配置することができる。
【０１８７】
なお、報知部３１が発光素子を有して構成されている場合には、例えば、術者が視認可能な範囲で発光素子の光量を絞ることにより、電源部８の電力の消費を極力抑制することができる。
【０１８８】
一方、報知部３１が無線信号送信回路を有して構成されている場合には、スイッチ部９ａがオフからオンへ切り替えられたタイミング、及び、スイッチ部９ｂがオンからオフへ切り替えられたタイミングにおいて、スイッチ部９ａのみがオンされている旨を示す報知信号の無線送信が開始される。また、報知部３１が無線信号送信回路を有して構成されている場合には、スイッチ部９ａがオンからオフへ切り替えられたタイミング、及び、スイッチ部９ｂがオフからオンへ切り替えられたタイミングにおいて、スイッチ部９ａのみがオンされている旨を示す報知信号の無線送信が停止される。
【０１８９】
そして、報知部３１が無線信号送信回路を有して構成されている場合には、当該無線信号送信回路から無線送信される報知信号を受信して種々の信号処理を施すことにより、スイッチ部９ｂがオフされている状態でスイッチ部９ａがオンされていることを示す画像または文字列等を表示装置（図示せず）に表示させることができる。
【０１９０】
従って、報知部３１が無線信号送信回路を有して構成されている場合には、術者等は、無線信号送信回路からの報知信号の無線送信に伴って表示装置（図示せず）に表示される画像または文字列等を目視することにより、スイッチ部９ｂがオフされている状態でスイッチ部９ａがオンされていることを容易に確認することができる。その結果、術者等は、例えば、スイッチ部９ｂをオフするとともに、スイッチ部９ａを確実にオンした状態で生体情報取得装置１Ｃを被検者の体腔内に配置することができる。
【０１９１】
すなわち、前述の電力供給部５Ｃを具備する生体情報取得装置１Ｃによれば、電力供給部５Ａを具備する生体情報取得装置１Ａと略同様の作用効果を得ることができるとともに、スイッチ部９ａがオンされている旨を報知する際に要する消費電力を、電力供給部５Ａを具備する生体情報取得装置１Ａに比べてさらに低減することができる。
【０１９２】
また、前述の電力供給部５Ｃを具備する生体情報取得装置１Ｃによれば、例えば、報知部３１が発光素子を有して構成されている場合には、スイッチ部９ｂがオンされることに伴って当該発光素子が消光する。そのため、前述の電力供給部５Ｃの報知部３１が発光素子を有して構成されている場合においては、撮像部３により画像データが取得される際に生じ得る当該発光素子の映り込みを防止することができる。
【０１９３】
なお、生体情報取得装置１Ｃの電力供給部５Ｃには、生体情報取得装置１Ｂの電力供給部５Ｂの機能を組み込むことができる。そして、電力供給部５Ｂの機能を組み込んで構成した電力供給部５Ｃを具備する生体情報取得装置１Ｃによれば、スイッチ部９ａがオンされている旨を報知する際に要する消費電力を、電力供給部５Ｂを具備する生体情報取得装置１Ｂに比べてさらに低減することができる。
【０１９４】
なお、本発明は、上述した各実施例に限定されるものではなく、発明の趣旨を逸脱しない範囲内において種々の変更や応用が可能であることは勿論である。
【符号の説明】
【０１９５】
１  生体情報取得装置
２  照明部
３  撮像部
４  無線送信部
５  電力供給部
６  磁界検知部
７  磁界発生部
８  電源部
９ａ，９ｂ  スイッチ部
１０ａ，１０ｂ  信号受信部
１１ａ，１１ｂ  検波部
１２ａ，１２ｂ  タイマ部
１３ａ，１３ｂ  カウンタ部
１４ａ，１４ｂ  ラッチ部
２１  増幅部
１０１  生体情報取得システム
【先行技術文献】
【特許文献】
【０１９６】
【特許文献１】特開２０１０−１０４５１８号公報
【図１】
2014073140.tif 000003
【図２】
2014073140.tif 000004
【図３】
2014073140.tif 000005
【図４】
2014073140.tif 000006
【図５】
2014073140.tif 000007
【図６】
2014073140.tif 000008
【図７】
2014073140.tif 000009
【図８】
2014073140.tif 000010
【図９】
2014073140.tif 000011
【図１０】
2014073140.tif 000012
【図１１】
2014073140.tif 000013
【図１２】
2014073140.tif 000014
【図１３】
2014073140.tif 000015
【図１４】
2014073140.tif 000016